(57)【特許請求の範囲】
【請求項１】
ネットワークに接続されている画像形成装置であって、
前記ネットワークを介して接続されている他の画像形成装置が格納している出力用紙のサイズ情報を受信する用紙情報受信手段と、
画像データから作成されたイメージにおける主走査方向の長さを測定する主走査方向長測定手段と、
該主走査方向長測定手段により測定された前記イメージの主走査方向の長さに対応する前記出力用紙を選択する用紙選択手段と、
前記イメージの副走査方向の長さが前記出力用紙の副走査方向の長さよりも大きな値である場合、前記画像データを長尺画像データであると判断する長尺画像データ判断手段と、
送信する前記画像データが前記長尺画像データであることを前記他の画像形成装置に通知する長尺画像データ通知手段と、
前記出力用紙の副走査方向の先端部および終端部に白画素領域である空白部を設定する空白部設定手段と、
前記出力用紙の副走査方向の長さから前記空白部の副走査方向の長さを減じた長さごとに前記イメージの副走査方向の長さを分割するイメージ分割手段と、
前記他の画像形成装置に前記画像データを送信し、出力を指示する画像データ出力手段と、
前記空白部の副走査方向の長さの情報を通知する空白部情報通知手段と、
を有することを特徴とする画像形成装置。
【請求項２】
前記空白部設定手段は、
前記出力用紙の副走査方向の先端部に副走査方向の長さが第１の長さである空白部を設定し、前記出力用紙の副走査方向の終端部に副走査方向の長さが第２の長さである空白部を設定することを特徴とする請求項１記載の画像形成装置。
【請求項３】
前記イメージ分割手段は、
前記イメージの１ページ目を前記他の画像形成装置に出力させる場合、前記用紙選択手段により選択された前記出力用紙の副走査方向の長さから前記第２の長さを減じた長さを前記イメージの１ページ目の副走査方向の長さとして分割することを特徴とする請求項２記載の画像形成装置。
【請求項４】
前記イメージ分割手段は、
前記イメージの２ページ目以降を前記他の画像形成装置に出力させる場合、前記用紙選択手段により選択された前記出力用紙の副走査方向の長さから前記第１の長さおよび前記第２の長さを減じた長さを１ページ分の副走査方向の長さとして、前記イメージの副走査方向の長さを前記１ページ分の副走査方向の長さごとに分割することを特徴とする請求項２または３記載の画像形成装置。
【請求項５】
前記長尺画像データ通知手段は、
非標準機能設定信号であるＮＳＳのファクシミリ情報フィールドに送信する前記画像データが前記長尺画像データであるという情報を格納し、前記ＮＳＳを前記他の画像形成装置に送信することを特徴とする請求項１から４のいずれか１項に記載の画像形成装置。
【請求項６】
前記空白部副走査長通知手段は、
前記非標準機能設定信号であるＮＳＳのファクシミリ情報フィールドに前記空白部の副走査方向の長さである前記第１の長さおよび前記第２の長さの情報を格納し、前記ＮＳＳを前記他の画像形成装置に送信することを特徴とする請求項３から５のいずれか１項に記載の画像形成装置。
【請求項７】
２ページ目以降の出力用紙の先端部で前記他の画像形成装置に前記第１の長さ分前記出力用紙を搬送させ、前記空白部を作成させることを特徴とする請求項２から６のいずれか１項に記載の画像形成装置。
【請求項８】
前記出力用紙の終端部で前記他の画像形成装置に前記第２の長さ分前記出力用紙を搬送させ、前記空白部を作成させることを特徴とする請求項２から７のいずれか１項に記載の画像形成装置。
【発明の詳細な説明】
【０００１】
【発明の属する技術分野】
画像形成装置に関し、作成されたイメージの副走査方向の長さが定型の出力用紙の副走査方向の長さより長く、出力用紙１枚で印刷することが不可能な長尺画像データを複数枚の出力用紙に分割して印刷処理する画像形成装置に関する。
【０００２】
【従来の技術】
近年、印刷技術の発達により様々な種類の原稿に対する印刷方式が提案されてきた。画像データの副走査方向の長さが定型の出力用紙の副走査方向の長さより長く、出力用紙１枚で印刷することが不可能な長尺画像データを複数枚の出力用紙に分割して処理する印刷方式もその１つである。
【０００３】
しかしながら、画像データを印刷するプリンタによっては出力用紙の副走査方向の先端および終端において記録された情報が欠落してしまうといった問題点があった。
【０００４】
以上のような問題点を解決する従来技術としては特開平２−２９１７７０号公報が開示するところのファクシミリ装置（以下、従来例１とする）があり、副走査方向において所定の出力用紙のサイズを越える長尺原稿を受信した際に、受信側で画像の欠落を抑制することを目的として重複部分を含んで複数枚の出力用紙に分割して印刷するファクシミリ装置が記載されている。
【０００５】
また、特開平５−０１４６７９号公報が開示するところの画像通信装置（以下、従来例２）では、送信側で長尺原稿の画像を分割し、画像の先端および終端に空白を送信する画像通信装置が記載されている。
【０００６】
【発明が解決しようとする課題】
しかしながら、従来例１では、出力用紙の先端および終端に重複して印刷することにより、通常の印刷処理と比較して多くの出力用紙および印刷処理時間を必要とするといった問題点があった。
【０００７】
また、従来例２においては、送信側で出力用紙の先端および終端にあたる領域に空白部を作成し、画像データを転送することにより、白画素領域である空白部に関しても転送のために時間を要するといった問題点があった。
【０００８】
本発明は、上記問題点に鑑みてなされたものであり、長尺画像データを印刷する際に欠落部分を生じさせない画像形成装置を提供することを目的とし、さらに、送信側で長尺画像データを分割する際に印刷の重複部分を作成せず、かつ、送信側から空白部の画像データを転送せずに受信側で出力用紙を所定長搬送させることにより出力用紙の消費および転送時間の削減を実現させる画像形成装置を提供することを目的とする。
【０００９】
【課題を解決するための手段】
かかる目的を達成するため、請求項１記載の発明は、ネットワークに接続されている画像形成装置であって、ネットワークを介して接続されている他の画像形成装置が格納している出力用紙のサイズ情報を受信する用紙情報受信手段と、画像データから作成されたイメージにおける主走査方向の長さを測定する主走査方向長測定手段と、主走査方向長測定手段により測定されたイメージの主走査方向の長さに対応する出力用紙を選択する用紙選択手段と、イメージの副走査方向の長さが出力用紙の副走査方向の長さよりも大きな値である場合、画像データを長尺画像データであると判断する長尺画像データ判断手段と、送信する画像データが長尺画像データであることを他の画像形成装置に通知する長尺画像データ通知手段と、出力用紙の副走査方向の先端部および終端部に白画素領域である空白部を設定する空白部設定手段と、出力用紙の副走査方向の長さから空白部の副走査方向の長さを減じた長さごとにイメージの副走査方向の長さを分割するイメージ分割手段と、他の画像形成装置に画像データを送信し、出力を指示する画像データ出力手段と、空白部の副走査方向の長さの情報を通知する空白部情報通知手段と、を有することを特徴とする。
【００１０】
従って、請求項１記載の発明は、出力用紙の副走査方向の長さから空白部の副走査方向の長さを減じた長さごとに長尺画像データから作成されたイメージの副走査方向の長さを分割することによって、長尺画像データの欠落の発生を抑制するとともに、空白部の情報を画像データとは別に送信することから長尺画像データの送信時間を短縮することが可能となる。
【００１１】
また、請求項２記載の発明よれば、請求項１記載の画像形成装置において、空白部設定手段は、出力用紙の副走査方向の先端部に副走査方向の長さが第１の長さである空白部を設定し、出力用紙の副走査方向の終端部に副走査方向の長さが第２の長さである空白部を設定することを特徴とする。
【００１２】
従って、請求項２記載の発明によれば、出力用紙の副走査方向の先端部に副走査方向の長さが第１の長さである空白部を設定し、出力用紙の副走査方向の終端部に副走査方向の長さが第２の長さである空白部を設定することによって、長尺画像データの欠落の発生を抑制することが可能となる。
【００１３】
また、請求項３記載の発明によれば、請求項２記載の画像形成装置において、イメージ分割手段は、イメージの１ページ目を他の画像形成装置に出力させる場合、用紙選択手段により選択された出力用紙の副走査方向の長さから第２の長さを減じた長さをイメージの１ページ目の副走査方向の長さとして分割することを特徴とする。
【００１４】
従って、請求項３記載の発明によれば、１ページ目を他の画像形成装置に出力させる場合、用紙選択手段により選択された出力用紙の副走査方向の長さから第２の長さを減じた長さをイメージの１ページ目の副走査方向の長さとして分割することによって、画像データの欠落の発生を抑制するとともに、空白部の画像データの送信を省くことから長尺画像データの送信時間を短縮することが可能となる。また、出力用紙の先端部における余分な空白部を抑制することが可能となる。
【００１５】
また、請求項４記載の発明によれば、請求項２または３記載の画像形成装置において、イメージ分割手段は、イメージの２ページ目以降を他の画像形成装置に出力させる場合、用紙選択手段により選択された出力用紙の副走査方向の長さから第１の長さおよび第２の長さを減じた長さを１ページ分の副走査方向の長さとして、イメージの副走査方向の長さを１ページ分の副走査方向の長さごとに分割することを特徴とする。
【００１６】
従って、請求項４記載の発明によれば、２ページ目以降を他の画像形成装置に出力させる場合、用紙選択手段により選択された出力用紙の副走査方向の長さから第１の長さおよび第２の長さを減じた長さを１ページ分の副走査方向の長さとして、イメージの副走査方向の長さを１ページ分の副走査方向の長さごとに分割することによって、画像データの欠落の発生を抑制するとともに、空白部の画像データの送信を省くことから長尺画像データの送信時間を短縮することが可能となる。
【００１７】
また、請求項５記載の発明によれば、請求項１から４のいずれか１項に記載の画像形成装置において、長尺画像データ通知手段は、非標準機能設定信号であるＮＳＳのファクシミリ情報フィールドに送信する画像データが長尺画像データであるという情報を格納し、ＮＳＳを他の画像形成装置に送信することを特徴とする。
【００１８】
従って、請求項５記載の発明によれば、ＮＳＳのファクシミリ情報フィールドに送信する画像データが長尺画像データであるという情報を格納し、ＮＳＳを他の画像形成装置に送信することによって、他の画像形成装置に長尺画像データを出力させることが可能となる。
【００１９】
また、請求項６記載の発明によれば、請求項２から５のいずれか１項に記載の画像形成装置において、空白部副走査長通知手段は、非標準機能設定信号であるＮＳＳのファクシミリ情報フィールドに空白部の副走査方向の長さである第１の長さおよび第２の長さの情報を格納し、ＮＳＳを他の画像形成装置に送信することを特徴とする。
【００２０】
従って、請求項６記載の発明によれば、ＮＳＳのファクシミリ情報フィールドに空白部の副走査方向の長さである第１の長さおよび第２の長さの情報を格納し、ＮＳＳを他の画像形成装置に送信することによって、長尺画像データの空白部の送信を省くことから、長尺画像データの送信時間を短縮することが可能となる。
【００２１】
また、請求項７記載の発明によれば、請求項２から６のいずれか１項に記載の画像形成装置において、２ページ目以降の出力用紙の先端部で他の画像形成装置に第１の長さ分出力用紙を搬送させ、空白部を作成させることを特徴とする。
【００２２】
従って、請求項７記載の発明によれば、長尺画像データの空白部を送信せずに、２ページ目以降の出力用紙の先端部で他の画像形成装置に第１の長さ分出力用紙を搬送させ、空白部を作成させることによって、長尺画像データの送信時間を短縮することが可能となる。
【００２３】
また、請求項８記載の発明によれば、請求項２から７のいずれか１項に記載の画像形成装置において、出力用紙の終端部で他の画像形成装置に第２の長さ分出力用紙を搬送させ、空白部を作成させることを特徴とする。
【００２４】
従って、請求項８記載の発明によれば、長尺画像データの空白部を送信せずに、出力用紙の終端部で他の画像形成装置に第２の長さ分出力用紙を搬送させ、空白部を作成させることによって、長尺画像データの送信時間を短縮することが可能となる。
【００２５】
【発明の実施の形態】
図１は、本発明の一実施形態における画像形成装置のブロック構成図である。以下、図１を用いて、本実施形態における画像形成装置の構成および機能を説明する。
【００２６】
画像形成装置は、ＣＰＵ１と、ＲＯＭ２と、ＲＡＭ３と、スキャナ４と、プロッタ５と、操作表示制御部６と、ＣＣＵ（Communication Control Unit：通信制御部）７と、モデム８と、ＳＡＦ（Store And Forward ）メモリ９と、ＤＣＲ（Data Compression Reconstruction ：符号化復号化部）１０と、ＮＣＵ（Network Control Unit：網制御部）１１と、バス１２と、空白部制御部１３と、を有する。
【００２７】
ＲＯＭ２は、画像形成装置を制御する際の基本プログラムおよび本発明の処理プログラムなどが格納されており、ＣＰＵ１は、上述のＲＯＭ２のプログラムに従って画像形成装置の各部を制御し、本発明の処理などを実行する。
【００２８】
ＲＡＭ３には、ワークエリアが形成され、画像形成装置の制御に必要な種々のデータが記憶される。スキャナ４は、原稿を読み取り、プロッタ５は、印刷処理を行う。また、操作表示制御部６は、ユーザによる操作が入力され、ユーザにディスプレイを通じて情報を表示する。
【００２９】
ＣＣＵ７は、ネットワークを介して接続された他の画像形成装置と制御信号を交換し、通信手順を実行し、モデム８は、送信信号の変調および受信信号の復調を行う。ＤＣＲ１０は、画像データを所定の符号化方式により符号化し、また、符号化された画像データを復号化する。
【００３０】
ＮＣＵ１１は、通信回線における動作を制御し、ＳＡＦメモリ９は、画像データの蓄積が行われる。空白部制御部１３は、印刷結果における空白部の作成、計算、および通知を行う。また、上記の各部位はバス１２により接続されている。
【００３１】
図２は、本発明の一実施形態における送信側および受信側の画像形成装置の通信および印刷動作を示すフローチャートである。以下、図２を用いて、送信側の画像形成装置から送信側の画像形成装置への長尺画像データの転送および送信側の画像形成装置における冗長画像データの出力動作を説明する。
【００３２】
まず、送信側の画像形成装置の動作を以下のように説明する。送信側の画像形成装置はスキャナ４により送信する画像データを読み取る（ステップＳ２１）。画像データから作成されたイメージの主走査方向の長さを計測し、その主走査方向の長さに対応した出力用紙の定型サイズを算出する（ステップＳ２２）。
【００３３】
受信側の画像形成装置に印刷出力させる際の画像欠落の発生を抑制するために、空白部制御部１３により出力用紙の副走査方向の先端および終端にユーザが規定した空白部を作成する。
【００３４】
送信側の画像形成装置は、１ページ目のイメージの副走査方向の長さを次のように決定される。算出された定型原稿の副走査方向の長さからユーザが規定した先端空白部の副走査方向の長さを引いた差を１ページ目の副走査方向の長さとして長尺画像データをＳＡＦメモリ９に蓄積する。
【００３５】
また、２ページ目以降のイメージにおける副走査方向の長さは次のように決定される。算出された定型原稿の副走査方向の長さからユーザが規定した先端および終端空白部の副走査方向の長さを引いた差を２ページ目以降の副走査方向の長さとして長尺画像データをＳＡＦメモリ９に蓄積する。
【００３６】
１ページ目として長尺画像データが上記の方法によりＳＡＦメモリ９に蓄積されたか否かを判断し（ステップＳ２３）、未処理の場合は（ステップＳ２３／Ｎｏ）、上記の処理を行う。１ページ目として長尺画像データが蓄積されたと判断した場合は（ステップＳ２３／Ｙｅｓ）、未処理の長尺画像データを２ページ目として同様にＳＡＦメモリ９に蓄積し、全ての長尺画像データが格納されるまで上記処理を繰り返す（ステップＳ２４）。
【００３７】
全ての長尺画像データが蓄積されると、送信側の画像形成装置は、ネットワークを介して接続された受信側の画像形成装置に対して送信を開始する（ステップＳ２５）。
【００３８】
送信側の画像形成装置は、これから送信する画像データが長尺原稿に対応した画像データであることと、予めユーザが設定した先端および終端空白部の副走査方向の長さとを受信側の画像形成装置に送信した（ステップＳ２６）後に、１ページ目の長尺画像データを受信側の画像形成装置に送信する（ステップＳ２７）。
【００３９】
２ページ目以降の長尺画像データを送信し（ステップＳ２８）、全ての長尺画像データの送信が終了したことを確認して受信側の画像形成装置との通信を終了する（ステップＳ２９）。
【００４０】
次に受信側の画像形成装置の動作を図２を用いて以下のように説明する。受信側の画像形成装置は送信側の画像形成装置の送信開始の信号を受信することで受信動作を開始する（ステップＳ３０）。
【００４１】
受信側の画像形成装置は、送信側の画像データが長尺原稿に対応した画像データであることと、予めユーザが設定した先端空白部のサイズとを認識した（ステップＳ３１）後に、１ページ目の長尺画像データを送信側の画像形成装置から受信する（ステップＳ３２）。
【００４２】
１ページ目の長尺画像データの受信終了後、２ページ目以降の長尺画像データを受信し（ステップＳ３３）、全ての長尺画像データの受信が終了したことを確認して送信側の画像形成装置との通信を終了する（ステップＳ３４）。
【００４３】
受信側の画像形成装置は、１ページ目の印刷処理を開始し（ステップＳ３５）、出力用紙の終端で予めユーザが設定した空白部の副走査方向サイズ分だけ出力用紙を余分に搬送し、空白部を作成する（ステップＳ３６）。
【００４４】
受信側の画像形成装置は２ページ目の印刷処理を開始する前に、予めユーザが設定した空白部の副走査方向サイズ分だけ出力用紙を余分に搬送し、出力用紙の先端に空白部を作成する（ステップＳ３７）。空白部作成後、２ページ目の印刷処理を開始し（ステップＳ３８）、１ページ目と同様に出力用紙の終端で空白部を作成する（ステップＳ３９）。
【００４５】
送信された長尺画像データの印刷が全て完了したか否かを判断し（ステップＳ４０）、まだ印刷されていない長尺画像データが存在する場合には（ステップＳ４０／Ｎｏ）、２ページ目の印刷処理をそれ以降も繰り返す。長尺画像データの印刷が全て完了した場合には（ステップＳ４０／Ｙｅｓ）、印刷処理を終了する（ステップＳ４１）。
【００４６】
図３は、本発明の一実施形態における送信側および受信側の画像形成装置間における画像データ転送時の信号の送受信を示すシーケンスである。以下、図３を用いて、送信側および受信側の画像形成装置間の印刷処理の際の信号の送受信の動作を説明する。
【００４７】
まず、受信側の画像形成装置からＮＳＦ（Non-Standard Facilities ：非標準機能信号）が発信され、受信側の画像形成装置の端末情報および保持情報（例えば、装置が有する出力用紙のサイズなど）が送信側の画像形成装置に伝えられる（Ｂ１→Ａ１）。
【００４８】
ＮＳＦを着信した送信側の画像形成装置は、ＮＳＳ（Non-Standard Set-Up ：非標準機能設定信号）のＦＩＦ（Facsimile Information Field ：ファクシミリ情報フィールド）ビットにより、後に送信する原稿の画像データが長尺画像データであること、および予め設定されている出力用紙の先端の空白部の長さを受信側の画像形成装置に送信する（Ａ２→Ｂ２）。
【００４９】
ＮＳＳのＦＩＦビットを着信すると、受信側の画像形成装置は画像データを受信する準備が整っている場合、ＣＦＲ（ConFirmation to Receive ：受信準備確認信号）を発信することにより、受信準備が整っているという情報を送信側の画像形成装置に伝える（Ｂ３→Ａ３）。
【００５０】
送信側の画像形成装置は、ＣＦＲを着信すると、画像データであるＰＩＸ（PIcture ：画信号）を受信側の画像形成装置に発信する（Ａ４→Ｂ４）。さらに、送信側の画像形成装置は、１ページ目の画像データの転送が終了すると、ページの終わりを表すＭＰＳ（MultiPage Signal：マルチページ信号）を受信側の画像形成装置に発信する（Ａ５→Ｂ５）。
【００５１】
受信側の画像形成装置は、ＭＰＳおよび完全な画像データの着信を確認すると、着信した信号の肯定信号であるＭＣＦ（Message ConFirmation：メッセージ確認信号）を発信側の画像形成装置に対して発信する（Ｂ６→Ａ６）。ここでは、送信側の画像形成装置に対して次の画像データの発信の許可を伝える信号として発信される。
【００５２】
発信側の画像形成装置は、ＭＣＦを受信すると再度ＰＩＸおよびＭＰＳを発信する（Ａ７→Ｂ７、Ａ８→Ｂ８）。受信側の画像形成装置も同様にＭＣＦを発信する（Ｂ９→Ａ９）。
【００５３】
発信側の画像形成装置は、ＭＣＦを着信すると、同様にＰＩＸを受信側の画像形成装置に発信する（Ａ１０→Ｂ１０）。全ての画像データの転送が終了した場合は、完全なデータ転送の終了を伝えるＥＯＰ（End Of Procedure：手順終了信号）を受信側の画像形成装置に発信する（Ａ１１→Ｂ１１）。
【００５４】
受信側の画像形成装置は、ＥＯＰを着信すると、ＭＣＦを発信することによりによりＥＯＰを着信したことを送信側の画像形成装置に伝え（Ｂ１２→Ａ１２）、画像データの転送処理は終了する。
【００５５】
【発明の効果】
以上、説明したように請求項１記載の発明は、出力用紙の副走査方向の長さから空白部の副走査方向の長さを減じた長さごとに長尺画像データから作成されたイメージの副走査方向の長さを分割することによって、長尺画像データの欠落の発生を抑制するとともに、空白部の情報を画像データとは別に送信することから長尺画像データの送信時間を短縮することが可能となる。
【００５６】
また、請求項２記載の発明によれば、出力用紙の副走査方向の先端部に副走査方向の長さが第１の長さである空白部を設定し、出力用紙の副走査方向の終端部に副走査方向の長さが第２の長さである空白部を設定することによって、長尺画像データの欠落の発生を抑制することが可能となる。
【００５７】
また、請求項３記載の発明によれば、１ページ目を他の画像形成装置に出力させる場合、用紙選択手段により選択された出力用紙の副走査方向の長さから第２の長さを減じた長さをイメージの１ページ目の副走査方向の長さとして分割することによって、画像データの欠落の発生を抑制するとともに、空白部の画像データの送信を省くことから長尺画像データの送信時間を短縮することが可能となる。また、出力用紙の先端部における余分な空白部を抑制することが可能となる。
【００５８】
また、請求項４記載の発明によれば、２ページ目以降を他の画像形成装置に出力させる場合、用紙選択手段により選択された出力用紙の副走査方向の長さから第１の長さおよび第２の長さを減じた長さを１ページ分の副走査方向の長さとして、イメージの副走査方向の長さを１ページ分の副走査方向の長さごとに分割することによって、画像データの欠落の発生を抑制するとともに、空白部の画像データの送信を省くことから長尺画像データの送信時間を短縮することが可能となる。
【００５９】
また、請求項５記載の発明によれば、ＮＳＳのファクシミリ情報フィールドに送信する画像データが長尺画像データであるという情報を格納し、ＮＳＳを他の画像形成装置に送信することによって、他の画像形成装置に長尺画像データを出力させることが可能となる。
【００６０】
また、請求項６記載の発明によれば、ＮＳＳのファクシミリ情報フィールドに空白部の副走査方向の長さである第１の長さおよび第２の長さの情報を格納し、ＮＳＳを他の画像形成装置に送信することによって、長尺画像データの空白部の送信を省くことから、長尺画像データの送信時間を短縮することが可能となる。
【００６１】
また、請求項７記載の発明によれば、長尺画像データの空白部を送信せずに、２ページ目以降の出力用紙の先端部で他の画像形成装置に第１の長さ分出力用紙を搬送させ、空白部を作成させることによって、長尺画像データの送信時間を短縮することが可能となる。
【００６２】
また、請求項８記載の発明によれば、長尺画像データの空白部を送信せずに、出力用紙の終端部で他の画像形成装置に第２の長さ分出力用紙を搬送させ、空白部を作成させることによって、長尺画像データの送信時間を短縮することが可能となる。
【図面の簡単な説明】
【図１】本発明の一実施形態における画像形成装置のブロック構成図である。
【図２】本発明の一実施形態における送信側および受信側の画像形成装置の通信および印刷動作を示すフローチャートである。
【図３】本発明の一実施形態における送信側および受信側の画像形成装置間における画像データ転送時の信号の送受信を示すシーケンスである。
【符号の説明】
１  ＣＰＵ
２  ＲＯＭ
３  ＲＡＭ
４  スキャナ
５  プロッタ
６  操作表示制御部
７  ＣＣＵ（通信制御部）
８  モデム
９  ＳＡＦメモリ
１０  ＤＣＲ（符号化復号化部）
１１  ＮＣＵ（網制御部）
１２  バス
１３  空白部制御部
【図１】
0003858189.tif 000002
【図２】
0003858189.tif 000003
【図３】
0003858189.tif 000004